(57)【特許請求の範囲】
【請求項１】
２つの合成樹脂製の基材層を貼り合わせ状に積層し、該両基材層の間に前記両基材層よりもＸ線透過率を小さくした材料から成る標識層を積層し、少なくとも一方の基材層を不透明とした積層構造体。
【請求項２】
標識層を文字、記号、図柄、模様から選ばれる平面形状に積層した請求項１記載の積層構造体。
【請求項３】
標識層を合成樹脂に無機フィラー若しくは無機顔料を分散した材料から成るものとした請求項１または２記載の積層構造体。
【請求項４】
標識層を印刷層とした請求項１、２または３記載の積層構造体。
【請求項５】
標識層を、基材層に貼り付け加工したものとした請求項１、２または３記載の積層構造体。
【請求項６】
ラベル(11)である請求項１、２、３、４または５記載の積層構造体。
【請求項７】
合成樹脂製容器である請求項１、２、３、４または５記載の積層構造体。
【発明の詳細な説明】
【技術分野】
【０００１】
本発明は積層構造体、特に模倣品に係る判別機能が発揮されるように構成された積層構造体に関する。
【背景技術】
【０００２】
近年においては流通の国際化も相俟って、ブランド品の高度な偽物も出回り、その対策が重要となってきており、たとえばＩＣタグの物品への装着による方法が有力な方法の一つである。
また、医薬品や化粧品の分野でも模倣品が多く出回り、中でも模倣品の薬による健康被害も報告されており、医薬品メーカーは模倣品を防止する対策として包装容器に蛍光印刷などによる隠し文字や図柄などを配設し（特許文献１参照）、商品の真偽を判別できるようにしている。
【先行技術文献】
【特許文献】
【０００３】
【特許文献１】特開２０００−３１８２９０号公報
【発明の概要】
【発明が解決しようとする課題】
【０００４】
本発明は、合成樹脂を主材料とする積層構造体を利用した、第三者には分り難いあるいは模倣し難い方法の隠し文字や図柄による、模倣品に係る判別機能を創出することを課題とするものである。
【課題を解決するための手段】
【０００５】
上記技術的課題を解決する手段に係る本発明の主たる構成は、
積層構造体において、
２つの合成樹脂製の基材層を貼り合わせ状に積層し、この両基材層の間に、この両基材層よりもＸ線透過率を小さくした材料から成る標識層を積層し、
少なくとも一方の基材層を不透明とする、と云うものである。
【０００６】
上記構成において標識層は、所謂、隠し文字あるいは図柄としての機能を発揮するものであり、少なくとも一方の基材層を不透明とすることにより、標識層を外部から見えないようにすることができ、他方で、標識層のＸ線透過率が低いことを利用して、Ｘ線透過装置あるいはＣＴ装置等の物体内のＸ線透過率の差異を検出可能な装置（以下、Ｘ線透過装置等と記す。）により必要に応じて、製品を破壊することなく標識層の有無を確認することができ、
このような積層構造体を包装容器等に配設することにより、模倣品に係る判別機能を商品に付与することができる。
【０００７】
なお、両基材層は目的に応じて同じ合成樹脂製とすることもできるし、異種の合成樹脂製とすることもできる。
また、一方だけの基材層を不透明とするか、両方の基材層を不透明とするかは、積層構造体の使用態様によって選択することができ、積層構造体の両面側が外部に露出するような使用態様では勿論、両方の基材層を不透明にする。
また、両方の基材層を不透明とすることにより、たとえば積層構造体としての包装容器が分解された場合にも標識層の存在が隠されるので、より確実に模倣品の出現を防止することが可能となる。
【０００８】
本発明の他の構成は、上記主たる構成において、標識層を文字、記号、図柄、模様から選ばれる平面形状に積層し標識を形成する、と云うものであり、Ｘ線透過装置等による標識層の確認を容易に達成することができる。
【０００９】
本発明のさらに他の構成は、上記主たる構成において、標識層を、合成樹脂に無機フィラー若しくは無機顔料を分散した材料製とする、と云うものである。
【００１０】
標識層の材質は、両基材層よりＸ線透過率が小さいと云う範疇内で特に限定されるものではないが、上記構成により標識層を合成樹脂に無機フィラー若しくは無機顔料を分散した材料とすることにより、両基材層と標識層の接着性や、標識層の積層による積層構造体の柔軟性を大きく損なうことなく、標識層のＸ線透過率を両基材層より小さくすることができる。
たとえば、標識層の成形性と云う点では、多層共押出し成形により両基材層の間に標識層を不連続状に押出成形して積層構造体を成形し、この不連続状に積層された標識層により模倣品に係る判別機能を発揮させることもできる。
特に、両基材層と標識層に使用する合成樹脂を同種のものとすれば、３つの層を熱溶着状に確実に接着した状態で積層することができる。
【００１１】
なお、両基材層を不透明にするために両基材層に自体に少量の無機フィラー若しくは無機顔料を分散する場合があるが、この場合には標識層には、より大きな比率で無機フィラー若しくは無機顔料を分散する。
【００１２】
本発明のさらに他の構成は、上記主たる構成において、標識層を印刷層とすると云うものである。
【００１３】
上記構成は標識層の積層方法に係るものであるが、印刷インクにＸ線透過率の小さい無機フィラーや無機顔料を分散させることにより印刷層のＸ線透過率を小さくするこができ、印刷により標識層を容易に、またたとえば小さな文字でも高精度に積層することができる。
【００１４】
本発明のさらに他の構成は、上記主たる構成において、標識層を基材層に貼り付け加工したものとする、と云うものである。
【００１５】
上記構成も標識層の積層方法に係るものであり、一方の基材層に所定の文字や図柄等に打ち抜いた標識層を貼り付け加工し、この標識層を被覆するようにもう一方の基材層を積層することにより、積層構造体とすることができる。
たとえばＸ線透過率の小さいアルミ箔層を積層したホットスタンプフィルムを使用してホットスタンプ法により所定の文字や図柄等を貼り付け加工することもできる。
【００１６】
本発明のさらに他の構成は、上記主たる構成において、積層構造体をラベルとすると云うものであり、模倣品に係る判別機能を有する積層構造体であるラベルを包装容器等に貼付することにより、模倣品に係る判別機能を容易に商品に付与することができる。
【００１７】
本発明のさらに他の構成は、上記主たる構成において、積層構造体を合成樹脂製容器とすると云うものである。
【００１８】
ブロー成形容器やチューブ容器は押出成形によるものであり、標識層により文字や図柄等は形成できないものの、前述したように多層共押出し成形により両基材層の間に標識層を不連続状に押出成形して積層構造体を成形し、この不連続状に積層された標識層により判別機能を発揮させることが可能となる。
また、標識層を中間層として有する合成樹脂製積層シートを巻回状にしてチューブ容器とすることもできる。
【発明の効果】
【００１９】
本発明は、上記した構成となっているので、以下に示す効果を奏する。
すなわち、本発明の主たる構成を有する積層構造体にあっては、標識層は、所謂、隠し文字あるいは図柄としての機能を発揮するものであり、少なくとも一方の基材層を不透明とすることにより、標識層は外部から見ることができず、他方、標識層のＸ線透過率が低いことを利用して、Ｘ透過装置等により必要に応じて、製品を破壊することなく標識層の有無を確認することができ、このような積層構造体を包装容器等に配設することにより、模倣品に係る判別機能を商品に付与することができる。
【図面の簡単な説明】
【００２０】
【図１】本発明の積層構造体の第１実施例のチューブ容器を示す斜視図である。
【図２】図１のチューブ容器の層構成を示す説明図である。
【図３】本発明の積層構造体の第２実施例のラベルを示す平面図である。
【図４】図３のラベルの層構成を示す断面図である。
【発明を実施するための形態】
【００２１】
以下、本発明の実施形態を、実施例に沿って図面を参照しながら説明する。
図１、２は本発明の積層構造体の第１実施例であるチューブ容器を説明するためのもので、図１は斜視図であり、図２はその層構成を示す斜視図であり手前にその断面構造が示されている。
このチューブ容器１は、シート片を巻回して両側端部をシールして作成した円筒状胴部２と、この胴部２の一端に射出成形あるいは圧縮成形によって取り付けて一体化したヘッド部３から成り、残る一端から内容物を充填しその端部をフラットな底シール部４としたものである。
【００２２】
このチューブ容器１の胴部２の周壁の層構成は図１あるいは図２示されるように、貼り合わせ状に積層した外側の基材層１１と内側の基材層１２の間に、図案化したＡ、Ｂの文字を形成する標識層１３を積層したものである。
なお、図１では周壁の一部で、外側の基材層１１を剥離した状態を示している。
【００２３】
本実施例では外側の基材層１１は低密度ポリエチレン樹脂製、内側の基材層１２は高密度ポリエチレン樹脂製とし、外側の基材層１１には樹脂１００重量部に対して３重量部のチタンホワイトの微粉を混合して白色不透明としている。
また標識層１３は、低密度ポリエチレン樹脂１００重量部に対して４０重量部のチタンホワイトを混合した材料をフィルム状に成形し、図案化した文字Ａ、Ｂの形状に打ち抜き加工したものである。
【００２４】
このように打ち抜き加工された標識層１３は、シート状の外側の基材層１１と内側の基材層１２の間に熱溶着状に積層されるが、標識層１３には無機顔料であるチタンホワイトが４０重量部と多量に混合されているので、この標識層１３のＸ線透過率は外側の基材層１１や内側の基材層１２に比較して小さい。
【００２５】
そして、本実施例のチューブ容器１は、通常の状態では外側の基材層１１が白色不透明であるので、標識層１３を外側から視認することはできないが、
標識層１３のＸ線透過率を低いことを利用して、Ｘ線透過装置等により必要に応じて、製品を破壊することなく標識層１３の有無を確認することができる。
【００２６】
次に、図３、４は本発明の積層構造体の第２実施例であるラベルを説明するためのもので、図３はその平面図、図４は層構成を示す断面図である。
このラベル２０の層構成は図２に示されるように、貼り合わせ状に積層した外側の基材層２１と内側の基材層２２の間に、図案化したＡ、Ｂの文字を形成する標識層２３を積層した積層体を有し、さらに内側の基材層２２の下側に接着層２６を積層し、外側の基材層２１の上側には加飾のための、図案化したａ、ｂ、ｃ、ｄ、ｅの文字を形成する加飾印刷層２４が積層され、さらにこの加飾印刷層２４を被覆するように透明な保護層２５が積層されている。
【００２７】
本実施例では外側の基材層２１と内側の基材層２２は共に、不透明となるように着色したポリプロピレン樹脂の延伸フィルム製である。
また、標識層２３は印刷層であり、Ｘ線透過率の小さい無機顔料を分散させた印刷インクを使用して印刷したものである。
また、外側の基材層２１の上側に形成される加飾印刷層２４は通常の印刷インクを使用して印刷したものである。
【００２８】
本実施例のラベル２０では、通常の状態では外側と内側の基材層２１、２２が不透明であるので、図３の平面図で見られるようにＡ、Ｂの文字を表す標識層２３を外部から視認することはできないが、標識層２３のＸ線透過率を低いことを利用して、Ｘ線透過装置等により必要に応じて標識層２３の有無を確認することができ、本実施例のようなラベル２０を包装容器等に貼付することにより、模倣品に係る判別機能を商品に付与することができる。
なお、本実施例のように標識層２３を印刷により形成する方法によれば、標識層を小さな文字や複雑な模様にも形成することが可能であり、より多くの情報を隠し文字あるいは図案として付与することができる。
【００２９】
以上、実施例に沿って本発明の構成とその作用効果を説明したが、本発明の積層構造体は上記実施例に限定されるものではない。
たとえば、本発明の積層構造体は必要に応じて加飾層やガスバリア層等の層を追加することができる。また、積層構造体は上記実施例のチューブ容器やラベルに限定されるものではなく、さまざまな態様の成形品とすることができる。
【００３０】
また、上記実施例ではＸ線透過量を小さくするため、標識層を合成樹脂に無機フィラーや無機顔料を混合した材料製としたが、たとえばＸ線透過率の小さい金属箔層を積層したホットスタンプフィルムを使用する等の手段も採用することができる。
【産業上の利用可能性】
【００３１】
以上説明したように本発明の積層構造体は、Ｘ線の透過率の差を利用した第三者には分り難いあるいは模倣し難い方法の隠し文字や図柄による、模倣品に係る判別機能を有するものであり、模倣品対策として幅広い利用展開が期待される。
【符号の説明】
【００３２】
１  ；チューブ容器
２  ；胴部
３  ；ヘッド部
４  ；底シール部
１１；（外側の）基材層
１２；（内側の）基材層
１３；標識層
２０；ラベル
２１；（外側の）基材層
２２；（内側の）基材層
２３；標識層
２４；加飾印刷層
２５；保護層
２６；接着層
【図１】
0005578407.tif 000002
【図２】
0005578407.tif 000003
【図３】
0005578407.tif 000004
【図４】
0005578407.tif 000005